(57)【要約】【課題】面倒な配管取り回しを不要とし、しかも、組立時における良好な作業性を得られる冷媒冷却方式の冷却構造としたコントローラを提供する。【解決手段】サービス面側から見て裏面となる電装基板１２ａ上に実装された発熱性電子部品１２ｂが、冷媒配管１０Ａを介して冷却される伝熱材製ブロック３０に接触した状態で固定設置され、伝熱材製ブロック３０をヒートシンクとして発熱性電子部品１２ｂを冷却可能な冷媒冷却方式のコントローラ１２において、冷媒配管１０Ａが、サービス面側から見た電装基板１２ａの裏面側に位置している伝熱材製ブロック３０の裏面に接触した状態となるように、伝熱材製ブロック３０の外周に裏面側から嵌合させるように取り付けて周面に係止される配管固定部材４０によって固定されている。【選択図】図３
2016109314.tif 000002
【特許請求の範囲】
【請求項１】
サービス面側から見て裏面となる電装基板上に実装された発熱性電子部品が、冷媒配管を介して冷却される伝熱材製ブロックに接触した状態で固定設置され、前記伝熱材製ブロックをヒートシンクとして前記発熱性電子部品を冷却可能な冷媒冷却方式のコントローラであって、
前記冷媒配管が、前記サービス面側から見た前記電装基板の裏面側に位置している前記伝熱材製ブロックの裏面に接触した状態となるように、前記伝熱材製ブロックの外周に裏面側から嵌合させるように取り付けて周面に係止される配管固定部材によって固定されていることを特徴とするコントローラ。
【請求項２】
前記伝熱材製ブロックが、前記裏面に前記冷媒配管を通すための凹部を備えた略柱状とされ、
前記配管固定部材が、所定の取付状態で前記冷媒配管を前記伝熱材製ブロックの方向へ押圧して前記凹部の壁面に接触させる矩形板状のベース面と、該ベース面の左右端部及び上下端部に設けられている少なくとも一対のフランジ状に折曲された係止部とを備え、前記伝熱材製ブロックの周面を前記係止部の弾性により挟持して固定されることを特徴とする請求項１に記載のコントローラ。
【請求項３】
所定の取付状態で互いに係合するように、前記伝熱材製ブロックの周面に形成した凹溝部と、前記配管固定部材の係止部に設けた折曲凸部とが設けられていることを特徴とする請求項２に記載のコントローラ。
【請求項４】
前記冷媒配管が前記配管固定部材に固定して一体化されていることを特徴とする請求項１から３のいずれか１項に記載のコントローラ。
【請求項５】
室外機側コントローラとして、複数の発熱性電子部品を冷媒配管により冷却する方式の請求項１から４のいずれか１項に記載のコントローラが搭載されていることを特徴とする空気調和機。
【請求項６】
サービス面側から見て裏面となる電装基板上に実装された発熱性電子部品が、冷媒配管を介して冷却される伝熱材製ブロックに接触した状態で固定設置され、前記伝熱材製ブロックをヒートシンクとして前記発熱性電子部品を冷却する冷媒冷却方式のコントローラ組立方法であって、
前記サービス面側から見た前記電装基板の裏面側に位置している前記伝熱材製ブロックの裏面に前記冷媒配管が接触した状態を維持するため、
配管固定部材を前記伝熱材製ブロックの外周に裏面側から嵌合させるように取り付けて周面に係止させ、前記冷媒配管を前記伝熱材製ブロックと前記配管固定部材との間に挟持して固定する工程を備えていることを特徴とするコントローラ組立方法。
【発明の詳細な説明】
【技術分野】
【０００１】
本発明は、電装基板にパワートランジスタ等の発熱性電子部品が実装されているコントローラに係り、特に、電装基板の発熱性電子部品を冷媒で冷却する冷媒冷却方式のコントローラ、このコントローラが搭載された空気調和機及びコントローラ組立方法に関するものである。
【背景技術】
【０００２】
インバータ駆動の機器が組み込まれた空気調和機では、インバータを構成するアクティブコンバータ、ダイオードモジュール、パワートランジスタ等の発熱性電子部品が実装された電装基板を有するコントローラが室外機側に搭載されている。
近年、インバータやそのパワー素子類の大容量化等に伴い、コントローラに対する冷却性能の向上が求められており、その冷却方式として、冷却フィンを設けて冷却する空冷方式に替えて、冷媒を利用して冷却する冷媒冷却方式が採用されつつある。
【０００３】
下記の特許文献１は、電装基板の冷却に冷媒冷却方式を採用する場合において、冷却部材を電装品箱の側面部に取り付ける際の作業効率を向上させるため、冷却冷媒の配管を作業者がアクセスしやすい方向となる正面（サービス面）側から固定するようにした構造を開示している。
【先行技術文献】
【特許文献】
【０００４】
【特許文献１】特開２０１１−９９５９７号公報
【発明の概要】
【発明が解決しようとする課題】
【０００５】
ところで、電装基板を冷却する冷却冷媒の配管を正面側から固定する特許文献１の従来構造は、冷媒配管の配管経路が複雑になるという問題を有している。すなわち、冷却冷媒の配管は、電装基板の裏側にある室外熱交換器と接続されて冷媒を循環させる冷媒配管の一部であるから、この冷媒配管をスペースの少ない正面側までわざわざ引き回してから裏側へ戻すという面倒な取り回しが必要となる。
一方、冷却冷媒の配管を電装基板の裏側に通して冷却する構造を採用すると、組立時において作業者から直接見えない場所で冷媒配管を手探りにより位置決めする作業が必要になるため、作業性の面で問題を有している。
【０００６】
このような背景から、発熱性電子部品が実装された電装基板を有するコントローラにおいては、電装基板の冷却に冷媒冷却方式を採用しても面倒な配管取り回しが不要であり、しかも、組立時における位置決め等の作業が容易になる冷却構造が望まれる。
本発明は、上記の事情に鑑みてなされたものであり、面倒な配管取り回しを不要とし、しかも、組立時における良好な作業性を得られる冷媒冷却方式の冷却構造としたコントローラ、このコントローラを搭載した空気調和機、及びコントローラ組立方法を提供することを目的とする。
【課題を解決するための手段】
【０００７】
上記した課題を解決するために、本発明の発熱性電子部品を備えたコントローラ及び空気調和機は、以下の手段を採用する。
すなわち、本発明に係るコントローラは、サービス面側から見て裏面となる電装基板上に実装された発熱性電子部品が、冷媒配管を介して冷却される伝熱材製ブロックに接触した状態で固定設置され、前記伝熱材製ブロックをヒートシンクとして前記発熱性電子部品を冷却可能な冷媒冷却方式のコントローラであって、前記冷媒配管が、前記サービス面側から見た前記電装基板の裏面側に位置している前記伝熱材製ブロックの裏面に接触した状態となるように、前記伝熱材製ブロックの外周に裏面側から嵌合させるように取り付けて周面に係止される配管固定部材によって固定されていることを特徴とするものである。
【０００８】
このような本発明のコントローラによれば、冷媒冷却方式の冷却構造に用いる冷媒配管が、サービス面側から見た電装基板の裏面側に位置している伝熱材製ブロックの裏面に接触した状態となるように、伝熱材製ブロックの外周に裏面側から嵌合させるように取り付けて周面に係止される配管固定部材によって固定されているので、組立時に作業者から直接見えない場所で冷媒配管を手探りにより位置決めして固定（仮止め固定を含む）する作業が容易になる。
また、発熱性電子部品が実装された電装基板を冷媒冷却するために、冷媒配管を正面のサービス面側まで引き回すことが不要となる。
【０００９】
上記の発明において、前記伝熱材製ブロックは、前記裏面に前記冷媒配管を通すための凹部を備えた略柱状とされ、前記配管固定部材は、所定の取付状態で前記冷媒配管を前記伝熱材製ブロックの方向へ押圧して前記凹部の壁面に接触させる矩形板状のベース面と、該ベース面の左右端部及び上下端部に設けられている少なくとも一対のフランジ状に折曲された係止部とを備え、前記伝熱材製ブロックの周面を前記係止部の弾性により挟持して固定される。
【００１０】
このような本発明により、伝熱材製ブロックの凹部に冷媒配管を通した仮置きの状態にして、配管固定部材の係止部を伝熱材製ブロックの外周に裏面から容易に嵌合させて固定（仮止め固定を含む）することが可能になる。このとき、配管固定部材に設けた少なくとも一対の係止部は、弾性により開いて所定位置となる伝熱材製ブロックの外周に嵌合した後、同じく弾性により伝熱材製ブロックの周面を挟持して仮止め固定または固定されるので、配管固定部材による冷媒配管の固定が容易になる。
この場合、係止部の入口開口寸法が伝熱材製ブロックの外周より大きくなるように、先端部を外向きに折曲しておくとよい。
【００１１】
上記の発明においては、所定の取付状態で互いに係合するように、前記伝熱材製ブロックの周面に形成した凹溝部と、前記配管固定部材の係止部に設けた折曲凸部とが設けられている。
【００１２】
このような本発明により、凹溝部と折曲凸部とが係合することで、所定の取付位置を容易に認識でき、しかも、凹溝部と折曲凸部とが係合した状態を確実に維持される。
【００１３】
上記の発明においては、前記冷媒配管が前記配管固定部材に固定して一体化されていることが望ましい。
【００１４】
このような本発明により、冷媒配管の位置決め及び固定の作業はより一層容易になる。この場合、冷媒配管と配管固定部材との一体化は、例えばロウ付け等により実施するとよい。
【００１５】
本発明に係る空気調和機は、室外機側コントローラとして、複数の発熱性電子部品を冷媒配管により冷却する方式の上記のずれかに記載のコントローラが搭載されていることを特徴とするものである。
【００１６】
このような本発明の空気調和機によれば、室外機側コントローラとして、複数の発熱性電子部品を冷媒配管により冷却する方式の上記のいずれかに記載のコントローラが搭載されているので、冷媒冷却方式の冷却構造に用いる冷媒配管を正面のサービス面側まで引き回す必要がなく、しかも、組立時に作業者から直接見えない場所で手探りにより冷媒配管を位置決めして固定する作業も容易になる。
【００１７】
本発明に係るコントローラ組立方法は、サービス面側から見て裏面となる電装基板上に実装された発熱性電子部品が、冷媒配管を介して冷却される伝熱材製ブロックに接触した状態で固定設置され、前記伝熱材製ブロックをヒートシンクとして前記発熱性電子部品を冷却する冷媒冷却方式のコントローラ組立方法であって、前記サービス面側から見た前記電装基板の裏面側に位置している前記伝熱材製ブロックの裏面に前記冷媒配管が接触した状態を維持するため、配管固定部材を前記伝熱材製ブロックの外周に裏面側から嵌合させるように取り付けて周面に係止させ、前記冷媒配管を前記伝熱材製ブロックと前記配管固定部材との間に挟持して固定する工程を備えていることを特徴とするものである。
【００１８】
このような本発明のコントローラ組立方法によれば、配管固定部材を伝熱材製ブロックの外周に裏面側から嵌合させるように取り付けて周面に係止させ、冷媒配管を伝熱材製ブロックと配管固定部材との間に挟持して固定する工程を備えているので、組立時に作業者から直接見えない場所で冷媒配管を手探りにより位置決めして仮止め固定または固定する作業が容易になる。
また、発熱性電子部品が実装された電装基板を冷媒冷却するために、冷媒配管を正面のサービス面側まで引き回すことが不要となる。
【発明の効果】
【００１９】
上述した本発明によれば、発熱性電子部品が実装された電装基板を有するコントローラにおいて、電装基板の冷却に冷媒冷却方式を採用しても、正面のサービス面側まで冷媒配管を引き回すといった面倒な配管取り回しが不要で、しかも、組立時における良好な作業性を得ることができる。この結果、発熱性電子部品が実装された電装基板の冷却を確実に実施できるため、優れた信頼性や耐久性を有するコントローラ及び空気調和機を提供することができる。
【図面の簡単な説明】
【００２０】
【図１】本発明の一実施形態に係る空気調和機の冷媒回路図である。
【図２】上記空気調和機の室外機について、外周パネルを外した状態の構成例を正面（サービス面）側から見て示す斜視図である。
【図３】上記空気調和機の室外側コントローラに適用される冷媒冷却方式の冷却構造に係る一実施形態を示す図で、（ａ）は分解斜視図、（ｂ）は（ａ）のＡ−Ａ断面図である。
【図４】図３に示した冷媒冷却方式の冷却構造について、変形例を示す要部の横断面図である。
【発明を実施するための形態】
【００２１】
以下に、本発明に係る実施形態について、図面を参照して説明する。
図１には、本実施形態に係る空気調和機の冷媒回路図が示され、図２には、その室外機の外周パネルを取り外した状態の斜視図が示され、図３には、冷媒冷却方式の冷却構造に係る分解斜視図が示されている。
【００２２】
空気調和機１は、冷媒を圧縮する圧縮機２と、冷媒の循環方向を切換える四方切換弁３と、冷媒と室外ファン４からの外気とを熱交換させる室外熱交換器５と、冷媒を断熱膨張させる電子膨張弁（膨張弁；ＥＥＶ）６と、冷媒と室内ファン７からの室内空気とを熱交換させる室内熱交換器８と、アキュームレータ９等を具備し、それらの機器間を冷媒配管１０によって接続した閉サイクルの冷凍サイクル１１を備えている。
【００２３】
また、空気調和機１は、図２に示すように、リモコン（不図示）等からの運転指令に基づいて空気調和機１の運転を制御するコントローラ１２を備えている。このコントローラ１２は、圧縮機２の回転数を制御するインバータを搭載するとともに、運転モードに応じて四方切換弁３を切換え、さらに室外ファン４の回転数、室内ファン７の回転数、電子膨張弁６の開度等を制御する機能を備えたものであり、基本構成は公知のコントローラと変わるものではない。
【００２４】
コントローラ１２には、インバータを構成するアクティブコンバータ、ダイオードモジュール、パワートランジスタ等の電子部品が含まれている。これらの電子部品は、発熱性の電子部品であるため、コントローラ１２を冷却する必要がある。本実施形態では、図１に示されるように、コントローラ１２に対して、例えば冷凍サイクル１１を構成する電子膨張弁（ＥＥＶ）６と室内熱交換器８との間の冷媒配管１０Ａを接触配置した冷媒冷却方式の冷却構造を採用している。すなわち、冷房運転時には、冷媒配管１０Ａ内を流れる電子膨張弁６で絞られた低圧の気液二相冷媒でコントローラ１２を冷却するとともに、暖房運転時には、冷媒配管１０Ａ内を流れる室内熱交換器８で凝縮液化された高圧液冷媒でコントローラ１２を冷却する構成としている。
【００２５】
なお、コントローラ１２に対して接触配置される冷媒配管は、必ずしも上記の如く電子膨張弁（ＥＥＶ）６と室内熱交換器８間の配管である必要はなく、コントローラ１２上に設けられている発熱性の電子部品等に対して、冷却効果を期待できる範囲の温度レベルに保たれる冷媒配管であればよく、例えば電子膨張弁（ＥＥＶ）６と室外熱交換器５との間の冷媒配管や低圧ガス冷媒配管等、冷凍サイクル１１を形成する他の配管部分であってもよい。
【００２６】
コントローラ１２は、図２に示されるように、空気調和機１を構成する圧縮機２、四方切換弁３、室外ファン４、室外熱交換器５、電子膨張弁（ＥＥＶ）６、アキュームレータ９等が収容設置される室外機１３内の適所に配設されている。
図示のコントローラ１２は、室外機１３内の室外ファン４及び室外熱交換器５が設置される熱交換器室１４に対して、仕切板１６により仕切られ、圧縮機２、四方切換弁３、電子膨張弁（ＥＥＶ）６、アキュームレータ９等が設置される機械室１５側の上方部位にコントローラ支持部（ブラケット）２０を介して設置されている。すなわち、コントローラ１２は、外周パネルを外した状態において室外機１３の正面に露出する位置にあり、換言すれば、外周パネルの内面と略対向する作業者がアクセスしやすい位置にあり、従って、外周パネルを取り外した正面が、コントローラ１２に関する各種作業を行うためのサービス面となる。
【００２７】
上記のコントローラ１２は、例えば図３に示されるように、矩形形状の電装基板１２ａにパワートランジスタ等の発熱性電子部品１２ｂを組み付けた構成とされ、コントローラ支持部２０を介して室外機１３の適所に固定して支持されている。図示のコントローラ支持部２０は、例えば板材を略Ｌ字断面形状に折曲成形した部材とされ、コントローラ１２を複数の螺子２１により固定した状態で仕切板１６等に支持されている。
コントローラ支持部２０の電装基板支持面２０ａは、外周パネルの内面と略対向する位置にあり、後述するヒートシンク３０を挿入する開口部２０ｂを備えている。
【００２８】
ヒートシンク３０は、例えばアルミニウムのように、良好な熱伝導性を有する素材の成型部材（伝熱材製ブロック）であり、例えば略柱状の一例である略直方体形状とした一面に冷媒配管１０Ａを通して接触配置するための凹部３１を備えている。このヒートシンク３０は、凹部３１の形成面と反対側の伝熱面３２側から開口部２０ｂに挿入して螺子止め等により電装基板１２ａと結合され、この結果、電装基板１２ａとヒートシンク３０との間には発熱性電子部品１２ｂが挟持された状態となる。
すなわち、電装基板１２ａに組み付けられた発熱性電子部品１２ｂの一面には、冷媒配管１０Ａを流れる冷媒により冷却されるヒートシンク３０の伝熱面３２が接触した状態にあり、従って、コントローラ１２の発熱性電子部品１２ｂを冷却する冷却構造は、ヒートシンク３０を介して接触配置されている冷媒配管１０Ａの内部を流れる冷媒によって冷却される冷媒冷却方式となる。
【００２９】
ヒートシンク３０の凹部３１に配置される冷媒配管１０Ａは、金属板を折曲成形した配管固定部材（ブラケット）４０を用いて所定位置に固定されている。この配管固定部材４０は、略直方体形状としたヒートシンク３０に凹部３１を形成した面と略一致する矩形板状のベース面４１を備えており、伝熱材製ブロック３０と配管固定部材４０との間に冷媒配管１０Ａを挟持して仮止め固定または固定をする部材である。
そして、ベース面４１の周囲には、ヒートシンク３０の周壁（側壁）面に嵌合して仮止め固定または固定されるフランジ状の係止部４２が、左右一対及び上下一対の少なくとも一方が設けられている。
【００３０】
図示の配管固定部材４０には、ベース面４１の左右端部に一対の係止部４２Ｌ，４２Ｒが設けられており、さらに、ベース面４１の上下端部に一対の係止部４２Ｐ，４２Ｎが設けられている。
なお、以下の説明においては、係止部４２の左右（幅方向）及び上下（長さ方向）の区別が必要な場合にのみ係止部４２Ｌ，４２Ｒ，４２Ｐ，４２Ｎを使用する。
【００３１】
係止部４２は、左右または上下で対をなす少なくとも一対が、互いに協働してヒートシンク３０の周壁面を挟持する方向の弾性を有するバネ状に折曲されている。
図３に示す配管固定部材４０は、左右一対の係止部４２Ｌ，４２Ｒがバネ状に折曲されている。好適なバネ状の折曲としては、例えば図３（ｂ）に示す断面形状のように、ベース面４１からの折曲角度θが９０度よりやや小さい鋭角となるように、折曲部Ｐ１で係止部４２Ｌ，４２Ｒをベース面４１の上下方向軸線に向けて内側へ折曲する。
なお、図示の係止部４２Ｌ，４２Ｒは、配管固定部材４０の上下方向において全長にわたって設けられているが、上下方向の一部に設ける形態や、上下方向に断続的に設ける形態としてもよい。
【００３２】
この結果、係止部４２Ｌ，４２Ｒは、図中に矢印４４で示す方向の弾性変形が可能となる。従って、冷媒配管１０Ａを固定する配管固定部材４０は、ヒートシンク３０の側面を挟持した係止部４２Ｌ，４２Ｒが初期状態から外向きに押し広げられた状態にあるため、金属板が有する弾性により初期状態に戻ろうとする内向きの力（ヒートシンク３０の面を押圧する方向の力）が作用してヒートシンク３０に対して確実に仮止め固定または固定される。
【００３３】
また、係止部４２Ｌ，４２Ｒの先端部においては、互いの面間距離Ｗを広げるように折曲凸部Ｐ２で外向きに折曲しておくことが好ましい。このような折曲凸部Ｐ２を有する係止部４２Ｌ，４２Ｒは、入口部における互いの面間距離Ｗをヒートシンク３０の幅寸法より若干でも広げることができるので、ヒートシンク３０に対する最初の位置決め及び嵌合が容易になる。
特に、冷媒配管１０Ａを固定するため、配管固定部材４０をヒートシンク３０に仮止め固定または固定する作業は、コントローラ１２の裏側で手探りの作業となるため、係止部４２Ｌ，４２Ｒの入口面間がヒートシンク３０の幅寸法より広い形状であれば、作業者に見えない状況でも最初の位置決め及び嵌合が容易になる。
【００３４】
一方、上下一対の係止部４２Ｐ，４２Ｎは、ヒートシンク３０の長さ（上下）方向が嵌合する面間距離を有するのみであり、バネ状への折曲はない。
この場合、上下一対の係止部４２Ｐ，４２Ｎは、仮止め固定された配管固定部材４０をコントローラ１２の電装基板１２ａ及びコントローラ支持部２０の電装基板支持面２０ａに螺子２１で確実に固定するため、先端部から上下方向に折曲されて螺子穴４３ａを設けたフランジ部４３を備えている。なお、上下一対の係止部４２Ｐ，４２Ｎについても、左右一対の係止部４２Ｌ，４２Ｒと同様の断面形状を有するバネ状に折曲してもよい。
【００３５】
仮止め固定された配管固定部材４０をコントローラ１２の電装基板１２ａ及びコントローラ支持部２０の電装基板支持面２０ａに螺子２１で固定する螺子穴４３ａを設けたフランジ部４３については、上下一対の係止部４２Ｐ，４２Ｎに限定されることはなく、左右一対の係止部４２Ｌ，４２Ｒに設けてもよいし、あるいは、両方に設けてもよい。
なお、螺子２１による配管固定部材４０の固定は、仮止め固定に用いる係止部４２が確実な固定に必要な弾性を十分に有していれば、省略することも可能である。
【００３６】
このように、本実施形態のコントローラ１２は、サービス面側から見て裏面となる電装基板１２ａ上に実装された発熱性電子部品１２ｂが、冷媒配管１０Ａを介して冷却されるヒートシンク３０に接触した状態で固定設置され、ヒートシンク３０を介して発熱性電子部品１２ｂを冷却可能な冷媒冷却方式のコントローラ１２において、冷媒配管１０Ａが、サービス面側から見た電装基板１２ａの裏面側に位置しているヒートシンク３０の裏面に接触した状態となるように、ヒートシンク３０の外周に裏面側から嵌合させるように取り付けて周面に係止される配管固定部材４０によって固定されている。
すなわち、サービス面側から見た電装基板１２ａの裏面側に位置している伝熱材製ブロック３０の裏面に冷媒配管１０Ａが接触する冷媒冷却方式の状態を維持するため、配管固定部材４０を伝熱材製ブロック３０の外周に裏面側から嵌合させるように取り付けて周面に係止させ、冷媒配管１０Ａを伝熱材製ブロック３０と配管固定部材４０との間に挟持して固定する工程を備えている。
【００３７】
従って、冷媒冷却方式の冷却構造に用いる冷媒配管１０Ａは、サービス面側より作業する作業者から直接見えない場所での手探りの作業となる組立時の位置決め及び仮止め固定（または固定）が、配管固定部材４０をヒートシンク３０に嵌合させて固定するだけの比較的容易な作業で実施可能となる。また、冷媒配管１０Ａについては、比較的容易な作業で位置決め及び仮止め固定（または固定）が可能になるので、スペース的に厳しい正面のサービス面側までわざわざ引き回してくる必要がない。
【００３８】
そして、ヒートシンク３０が、裏面に冷媒配管１０Ａを通すための凹部３１を備えた略直方体形状とされ、配管固定部材４０が、所定の取付状態で冷媒配管１０Ａをヒートシンク３０の方向へ押圧して凹部３１の壁面に接触させる矩形板状のベース面４１と、このベース面４１の左右端部及び上下端部に設けられている少なくとも一対のフランジ状に折曲された係止部４２とを備え、ヒートシンク３０の周面を係止部４２の弾性により挟持して固定されるので、ヒートシンク３０の凹部３１に冷媒配管１０Ａを通した仮置きの状態にして、配管固定部材４０の係止部４２をヒートシンク３０の外周に裏面から容易に嵌合させて仮止め固定または固定することができる。
【００３９】
このとき、配管固定部材４０に設けた少なくとも一対の係止部４２は、弾性により開いて所定位置となるヒートシンク３０の外周に嵌合した後、同じく弾性によりヒートシンク３０の周面を挟持して仮止め固定または固定される。このため、サービス面側から作業する作業者は、コントローラ１２の電装基板１２ａ及びコントローラ支持部２０の裏面側において、配管固定部材４０により冷媒配管１０Ａを仮止め固定または固定する手探りの作業を容易に実施することができる。
特に、手探りで位置決めして嵌合する作業を容易にするため、係止部４２の先端部を外向きに折曲し、入口開口寸法がヒートシンク３０の外周より大きくなるようにしておくことが望ましい。
【００４０】
また、図４に示した変形例では、ヒートシンク３０Ａに凹溝部３３を設け、所定の取付状態で互いに係合するように、配管固定部材４０Ａにおける一対の係止部４２に折曲凸部Ｐ２が設けられている。この場合、一方の凹溝部３３は浅い溝でよく、また、他方の折曲凸部Ｐ２は、係止部４２の先端部において互いの面間距離Ｗを広げる折曲凸部と共用することができる。
このような変形例では、凹溝部３３と折曲凸部Ｐ２とが互いに係合することにより、係合時の節度感により、作業者は所定の取付位置を容易に認識できるようになり、さらに、凹溝部３３と折曲凸部Ｐ２とが係合した状態を確実に維持される。
【００４１】
また、図４に示した変形例では、冷媒配管１０Ａが配管固定部材４０Ａに固定して一体化されている。図示の構成例では、ベース面４１Ａに冷媒配管１０Ａを固定する半円形断面形状の凹溝部４５を設け、この凹溝部４５に設置した冷媒配管１０Ａをロウ付け等により固定して一体化している。
このような変形例の構成とすれば、冷媒配管１０Ａの位置決め及び固定（仮止め固定を含む）の作業は配管固定部材４０Ａと一体的に行われるので、その作業はより一層容易になる。
【００４２】
そして、上述した実施形態及び変形例で説明した発熱性電子部品１２ｂを冷媒配管１０Ａにより冷却する方式のコントローラ１２，１２Ａが室外機１３に搭載されている空気調和機１は、冷媒配管１０Ａを正面のサービス面側まで引き回す必要がなく、しかも、組立時に作業者から直接見えない場所で手探りにより冷媒配管１０Ａを位置決めして仮止め固定または固定する作業も容易になる。
【００４３】
このように、上述した本実施形態によれば、発熱性電子部品１２ｂが実装された電装基板１２ａを有するコントローラ１２においては、電装基板１２ａの冷却に冷媒冷却方式を採用しても、正面のサービス面側まで冷媒配管を引き回すといった面倒な配管取り回しが不要で、しかも、組立時における良好な作業性を得ることができる。従って、発熱性電子部品１２ｂが実装された電装基板１２ａの冷却を確実に実施でき、コントローラ１２及び空気調和機１の信頼性や耐久性を向上させることが可能になる。
なお、本発明は、上記の実施形態に係る発明に限定されるものではなく、その要旨を逸脱しない範囲において、適宜変形が可能である。
【符号の説明】
【００４４】
１      空気調和機
１０，１０Ａ    冷媒配管
１１    冷凍サイクル
１２    コントローラ
１２ａ    電装基板
１２ｂ    発熱性電子部品
１３    室外機
１５    機械室
１６    仕切板
２０    コントローラ支持部（ブラケット）
２０ａ    電装基板支持面
２０ｂ    開口部
３０，３０Ａ    ヒートシンク（伝熱材製ブロック）
３１    凹部
３２    伝熱面
３３    凹溝部
４０，４０Ａ    配管固定部材（ブラケット）
４１    ベース面
４２，４２Ｌ，４２Ｒ，４２Ｐ，４２Ｎ    係止部
４５    凹溝部
Ｐ１    折曲部
Ｐ２    折曲凸部
【図１】
2016109314.tif 000003
【図２】
2016109314.tif 000004
【図３】
2016109314.tif 000005
【図４】
2016109314.tif 000006